(57)【特許請求の範囲】
【請求項１】
表示部に表示させるメインコンテンツと、列を構成する、該メインコンテンツを選択するための複数の表示要素とを利用した処理を行う表示制御装置であって、
ユーザに報知するための情報である付加情報を取得し、取得した付加情報の重要度を算出する重要度算出部と、
前記付加情報と前記メインコンテンツとの関連度を算出する関連度算出部と、
算出された前記重要度および前記関連度に基づいて、前記複数の表示要素に対して前記付加情報を挿入する位置を決定する位置決定部とを備え、
前記位置決定部は、前記重要度および前記関連度が高い付加情報ほど、ユーザの注目を集めやすい位置に決定する
表示制御装置。
【請求項２】
前記表示制御装置は、さらに、前記メインコンテンツを切り替えるための切り替え操作による、前記付加情報の過去の選択頻度に基づき、前記複数の表示要素に対する、前記付加情報の挿入の許容度である挿入許容度を算出する挿入許容度算出部を備え、
前記位置決定部は、算出された前記挿入許容度、前記重要度および前記関連度に基づいて、前記複数の表示要素に対して前記付加情報を挿入する位置を決定する
請求項１に記載の表示制御装置。
【請求項３】
前記表示制御装置は、さらに、前記複数の表示要素と、前記位置決定部で決定された位置に挿入された前記付加情報とを表示する表示部を備え、
前記位置決定部は、前記重要度および前記関連度が高い付加情報ほど、当該付加情報の挿入優先度を高く算出し、算出した前記挿入優先度が高い付加情報程、ユーザの注目を集めやすい位置に決定する
請求項１または２に記載の表示制御装置。
【請求項４】
前記位置決定部は、算出された前記挿入優先度が高い付加情報程、前記表示部の付加情報を表示するための領域内であって、かつ、前記表示部の画面中央により近い位置に決定する
請求項３に記載の表示制御装置。
【請求項５】
前記付加情報のカテゴリは、広告である
請求項１〜４のいずれか１項に記載の表示制御装置。
【請求項６】
前記重要度算出部は、広告の出稿料が高いほど重要度が大きくなるように、前記付加情報の重要度を算出する
請求項５に記載の表示制御装置。
【請求項７】
前記表示制御装置は、電気機器と通信し、
前記付加情報のカテゴリは、前記電気機器からの通知である
請求項１〜４のいずれか１項に記載の表示制御装置。
【請求項８】
前記重要度算出部は、現在の時刻から前記付加情報の通知デッドラインまでの時間が短いほど重要度が大きくなるように、前記付加情報の重要度を算出する
請求項７に記載の表示制御装置。
【請求項９】
前記表示制御装置は、電気機器と通信し、
前記付加情報のカテゴリは、前記電気機器の電力量のカテゴリである
請求項１〜４のいずれか１項に記載の表示制御装置。
【請求項１０】
前記重要度算出部は、前記電気機器が消費する電力量が、前記電気機器に供給される電力量に近づくにつれ重要度が大きくなるように、前記付加情報の重要度を算出する
請求項９に記載の表示制御装置。
【請求項１１】
前記付加情報は、当該付加情報を推薦する推薦者と対応付けられ、
前記重要度算出部は、前記付加情報に対応付けられた推薦者の序列が高いほど重要度が大きくなるように、前記付加情報の重要度を算出する
請求項１〜４のいずれか１項に記載の表示制御装置。
【請求項１２】
前記推薦者の序列は、予め定められた範囲内の視聴者による投票総数が多いほど高くなる
請求項１１に記載の表示制御装置。
【請求項１３】
さらに、ユーザの指示に応じて、前記複数の表示要素及び前記付加情報のうち、前記表示部に表示させる前記メインコンテンツに対応する表示要素又は付加情報を選択する選択部を備える
請求項１〜１２のいずれか１項に記載の表示制御装置。
【請求項１４】
表示部に表示させるメインコンテンツと、列を構成する、該メインコンテンツを選択するための複数の表示要素とを利用した処理を行う集積回路であって、
ユーザに報知するための情報である付加情報を取得し、取得した付加情報の重要度を算出する重要度算出部と、
前記付加情報と前記メインコンテンツとの関連度を算出する関連度算出部と、
算出された前記重要度および前記関連度に基づいて、前記複数の表示要素に対して前記付加情報を挿入する位置を決定する位置決定部とを備え、
前記位置決定部は、前記重要度および前記関連度が高い付加情報ほど、ユーザの注目を集めやすい位置に決定する
集積回路。
【請求項１５】
表示部に表示させるメインコンテンツと、列を構成する、該メインコンテンツを選択するための複数の表示要素とを利用した処理を行う表示制御方法であって、
ユーザに報知するための情報である付加情報を取得し、取得した付加情報の重要度を算出する重要度算出ステップと、
前記付加情報と前記メインコンテンツとの関連度を算出する関連度算出ステップと、
算出された前記重要度および前記関連度に基づいて、前記複数の表示要素に対して前記付加情報を挿入する位置を決定する位置決定ステップとを含み、
前記位置決定ステップでは、前記重要度および前記関連度が高い付加情報ほど、ユーザの注目を集めやすい位置に決定する
表示制御方法。
【請求項１６】
請求項１５に記載の表示制御方法をコンピュータに実行させるためのプログラム。
【発明の詳細な説明】
【技術分野】
【０００１】
本発明は、放送コンテンツやウェブ上の動画コンテンツ等のＡＶコンテンツに加えて、機器ネットワーク群からの通知、各種広告等の画面への表示を制御する表示制御装置に関する。
【背景技術】
【０００２】
従来、表示制御装置に関し、地上波、ＢＳ、ＣＳといった放送種別間の切替をリモコンで容易に行うための技術（特許文献１を参照）や、放送コンテンツとウェブコンテンツ間のシームレスな移動を実現する技術（特許文献２を参照）が知られている。
【先行技術文献】
【特許文献】
【０００３】
【特許文献１】特許第３９９７９８０号公報
【特許文献２】特許第４０５２８０２号公報
【発明の概要】
【発明が解決しようとする課題】
【０００４】
しかしながら、前記従来の構成では、コンテンツの選択（ザッピング）と各種機器からの通知／操作などとの間に連続性が欠如していた。すなわち、ユーザがコンテンツを選択（ザッピング）するのと、各種機器からの通知／操作などとは、異なるフェーズに分離されているという問題がある。【０００５】
そこで、本発明は、このような問題を解決するためになされたものであり、ユーザが多種多様なコンテンツの選択や操作、付加情報の確認を各々の種別を特に意識することなくシームレスに行うことを可能とする表示制御装置等を提供することを目的とする。
【課題を解決するための手段】
【０００６】
上記目的を達成するために、本発明の一態様に係る表示制御装置は、表示部に表示させるメインコンテンツと、列を構成する、該メインコンテンツを選択するための複数の表示要素とを利用した処理を行う表示制御装置であって、ユーザに報知するための情報である付加情報を取得し、取得した付加情報の重要度を算出する重要度算出部と、前記付加情報と前記メインコンテンツとの関連度を算出する関連度算出部と、算出された前記重要度および前記関連度に基づいて、前記複数の表示要素に対して前記付加情報を挿入する位置を決定する位置決定部とを備え、前記位置決定部は、前記重要度および前記関連度が高い付加情報ほど、ユーザの注目を集めやすい位置に決定する。【０００７】
なお、これらの包括的または具体的な態様は、方法、集積回路、コンピュータプログラムまたはコンピュータ読み取り可能なＣＤ−ＲＯＭなどの記録媒体で実現されてもよく、方法、集積回路、コンピュータプログラムおよび記録媒体の任意な組み合わせで実現されてもよい。
【発明の効果】
【０００８】
本発明の表示制御装置は、情報の重要度とメインコンテンツとの関連度とを考慮した、当該情報の通知を行うことができ、ユーザが多種多様なコンテンツの選択や操作を各々のコンテンツの種別を特に意識することなくシームレスに行うことを実現できる。
【図面の簡単な説明】
【０００９】
【図１】図１は、実施の形態１における表示制御装置の機能構成を示すブロック図である。
【図２】図２は、実施の形態１における表示制御処理の流れを示すフローチャートである。
【図３Ａ】図３Ａは、実施の形態１における情報提示の一例を説明する図である。
【図３Ｂ】図３Ｂは、実施の形態１における情報提示の他の一例を説明する図である。
【図４】図４は、各サムネイル画像の移動を説明するための図である。
【図５】図５は、表示制御処理における付加情報の挿入位置を決定する処理を説明するための図である。
【図６】図６は、実施の形態１の変形例における表示制御装置の機能構成を示すブロック図である。
【図７】図７は、実施の形態１の変形例における表示制御処理Ａの流れを示すフローチャートである。
【図８】図８は、表示制御処理Ａにおける付加情報の挿入位置を決定する処理を説明するための図である。
【図９Ａ】図９Ａは、情報提示のさらに他の一例を説明する図である。
【図９Ｂ】図９Ｂは、情報提示のさらに他の一例を説明する図である。
【図９Ｃ】図９Ｃは、情報提示のさらに他の一例を説明する図である。
【図１０】図１０は、情報提示のさらに他の一例を説明する図である。
【図１１】図１１は、サムネイル画像の表示形態を説明する図である。
【図１２】図１２は、選択部を備える表示制御装置の機能構成を示すブロック図である。
【発明を実施するための形態】
【００１０】
（本発明の基礎となった知見）
本発明者らは、「背景技術」の欄において記載した表示制御装置に関し、以下の問題が生じることを見いだした。
【００１１】
放送と通信の融合の進展により、テレビは単に放送コンテンツを視聴するために利用されるだけでなく、ウェブ情報の閲覧など新たな利用方法への可能性が広がりつつある。また、テレビの新しい機能の一つとして、生活に関連したさまざまな情報を適切なタイミングで通知する機能も提案されている。
【００１２】
近年では、電気機器のネットワーク機能が普及し、ＢＤ（Ｂｌｕ−ｒａｙ  Ｄｉｓｃ）レコーダーや、ネットワークカメラなどをテレビと連携させ、一つのリモコンで複数の機器を操作することや、テレビの画面でネットワークカメラの映像を確認するといったことも可能である。
【００１３】
また、これらの機器に加えて、洗濯機、冷蔵庫、電子レンジといった家電機器をテレビと連携させることで、ユーザは各機器の稼働状態など、各機器に関する情報をテレビで確認することも可能である。すなわち、テレビのような表示装置と他の複数の機器とを、ネットワークを通じて連携させ、表示装置に各機器からの情報を表示させることで、ユーザは各機器の近くに行かなくとも、表示装置から、各機器の情報を参照できる。
【００１４】
特許文献１の技術では、例えば十字キーにおける上方向操作子、下方向操作子の操作入力に応じて、チャンネル切り替え動作を行う。また、右方向操作子、左方向操作子の操作入力に応じて、放送波（チューナ）の切り替え動作を行う。これによって他の放送波に跨るザッピング操作は、１つの関連した操作手段に対する操作により実現可能となる。
【００１５】
特許文献２の技術では、種類の異なる２つのサービスをメニュー内に表示する。また、特許文献２の技術におけるＧＵＩは、受信したデータをフィルタリング及び／又は選択するためのユーザにより選択可能なアイコンを示す。また、当該ＧＵＩは、近い将来に予定されているＤＳＳ（Ｄｉｒｅｃｔ  Ｂｒｏａｄｃａｓｔ  Ｓａｔｅｌｌｉｔｅ  Ｓｙｓｔｅｍ：直接衛星放送）イベントに関する情報及び関連するインターネットウェブサイトへのアクセスを提供するスクロールチッカ領域及び現在放送されているＤＳＳ番組を縮小して表示する間引きされたビデオ領域を示す。
【００１６】
しかしながら、上記特許文献１及び２の構成では、放送種別間、あるいは、放送コンテンツとウェブコンテンツ間のシームレスな移動は実現されているが、コンテンツの選択（ザッピング）と各種機器からの通知／操作などとの間に連続性が欠如していた。すなわち、ユーザがコンテンツを選択（ザッピング）するのと、各種機器からの通知／操作などとは、異なるフェーズに分離されていた。各種機器からの通知や広告等のプッシュ通知は、ユーザがコンテンツを視聴中に行われるものが多いが、該通知や広告等のプッシュ通知が少なからずユーザのコンテンツ視聴を遮り、ユーザにとって煩わしいものとなる可能性がある。また、ネットワークに接続する機器が増大するにつれ、表示装置に表示させるための付加情報が多種多様になる。当該付加情報は、ユーザに報知するための情報である。しかしながら、表示装置に多くの付加情報が表示されると、重要な情報を見落としてしまうという問題がある。
【００１７】
このような問題を解決するために、本発明の一態様に係る表示制御装置は、表示部に表示させるメインコンテンツと、列を構成する、該メインコンテンツを選択するための複数の表示要素とを利用した処理を行う表示制御装置であって、ユーザに報知するための情報である付加情報を取得し、取得した付加情報の重要度を算出する重要度算出部と、前記付加情報と前記メインコンテンツとの関連度を算出する関連度算出部と、算出された前記重要度および前記関連度に基づいて、前記複数の表示要素に対して前記付加情報を挿入する位置を決定する位置決定部とを備え、前記位置決定部は、前記重要度および前記関連度が高い付加情報ほど、ユーザの注目を集めやすい位置に決定する。
【００１８】
すなわち、位置決定部は、付加情報の重要度とメインコンテンツとの関連度とに基づいて、複数の表示要素に対して付加情報を挿入する位置を決定する。これにより、付加情報の重要度とメインコンテンツとの関連度とを考慮した、当該付加情報の通知を行うことができる。
【００１９】
よって、ユーザは多種多様なコンテンツの選択や操作を各々のコンテンツの種別を特に意識することなくシームレスに行うことができる。
【００２０】
また、重要度の高い付加情報ほどユーザの注目を集めやすい位置に表示できるので、ユーザが重要な付加情報を見落とす可能性が低減する。
【００２１】
また、例えば、前記表示制御装置は、さらに、前記メインコンテンツを切り替えるための切り替え操作による、前記付加情報の過去の選択頻度に基づき、前記複数の表示要素に対する、前記付加情報の挿入の許容度である挿入許容度を算出する挿入許容度算出部を備え、前記位置決定部は、算出された前記挿入許容度、前記重要度および前記関連度に基づいて、前記複数の表示要素に対して前記付加情報を挿入する位置を決定してもよい。
【００２２】
これにより、ユーザの過去の選択頻度に基づいて表示要素に挿入される付加情報を多くしたり、少なくしたりするといった、ユーザの好みに合わせることができる。
【００２３】
また、例えば、前記表示制御装置は、さらに、前記複数の表示要素と、前記位置決定部で決定された位置に挿入された前記付加情報とを表示する表示部を備え、前記位置決定部は、前記重要度および前記関連度が高い付加情報ほど、当該付加情報の挿入優先度を高く算出し、算出した前記挿入優先度が高い付加情報程、ユーザの注目を集めやすい位置に決定してもよい。
【００２４】
また、例えば、前記位置決定部は、算出された前記挿入優先度が高い付加情報程、前記表示部の付加情報を表示するための領域内であって、かつ、前記表示部の画面中央により近い位置に決定してもよい。
【００２５】
これにより、ユーザは挿入優先度の高い付加情報に容易に気付くことができる。
【００２６】
また、例えば、前記付加情報のカテゴリは、広告であってもよい。
【００２７】
これにより、例えば、メインコンテンツがドラマである場合に、付加情報として、ドラマの出演者が出演している広告やドラマに登場する商品の広告を表示することができるので、ユーザへの訴求効果を高められる。
【００２８】
また、例えば、前記重要度算出部は、広告の出稿料が高いほど重要度が大きくなるように、前記付加情報の重要度を算出してもよい。
【００２９】
これにより、出稿料が高い広告ほど、ユーザの注目を集めやすい位置に表示できる。
【００３０】
また、例えば、前記表示制御装置は、電気機器と通信し、前記付加情報のカテゴリは、前記電気機器からの通知であってもよい。
【００３１】
これにより、例えば、メインコンテンツがドラマである場合にも、電気機器からの通知を表示することができる。その結果、例えば、電気機器が電子レンジであった場合に、ユーザはドラマの視聴中であっても、「加熱完了」といった表示に容易に気付くことができ、電子レンジの庫内から食品を取り出し忘れることがなくなる。
【００３２】
また、例えば、前記重要度算出部は、現在の時刻から前記付加情報の通知デッドラインまでの時間が短いほど重要度が大きくなるように、前記付加情報の重要度を算出してもよい。
【００３３】
これにより、通知デッドラインの短い付加情報ほど、ユーザの注目を集めやすい位置に表示できる。通知デッドラインとは、例えばユーザの操作を待機可能な時間であり、短いほどユーザの速やかな対応が要求される。つまり、ユーザの速やかな対応が要求される付加情報ほどユーザの注目を集めやすい位置に表示できるので、ユーザによる付加情報の見落としを低減することができる。
【００３４】
また、例えば、前記表示制御装置は、電気機器と通信し、前記付加情報のカテゴリは、前記電気機器の電力量のカテゴリであってもよい。
【００３５】
これにより、ユーザが電気機器の電力量に容易に気付くことができる。その結果、例えば、ユーザが付加情報により示される電力量を確認して、確認結果に応じて、電気機器の消費電力を削減するような指示をすることが可能となり、節電につなげることができる。
【００３６】
また、例えば、前記重要度算出部は、前記電気機器が消費する電力量が、前記電気機器に供給される電力量に近づくにつれ重要度が大きくなるように、前記付加情報の重要度を算出してもよい。
【００３７】
これにより、消費する電力量が供給される電力量に近い電気機器の付加情報ほど、ユーザの注目を集めやすい位置に表示できる。その結果、電気機器が消費する電力が供給される電力と同等になる前に、ユーザが当該電気機器の付加情報に容易に気付くことができるので、ユーザにより消費電力を下げるような指示を与えることが可能となり、消費電力が供給電力と同等となったときに生じる不具合の発生を防止できる。
【００３８】
また、例えば、前記付加情報は、当該付加情報を推薦する推薦者と対応付けられ、前記重要度算出部は、前記付加情報に対応付けられた推薦者の序列が高いほど重要度が大きくなるように、前記付加情報の重要度を算出してもよい。
【００３９】
これにより、推薦者の序列が高い付加情報ほど、ユーザの注目を集めやすい位置に表示できる。
【００４０】
また、例えば、前記推薦者の序列は、予め定められた範囲内の視聴者による投票総数が多いほど高くなってもよい。
【００４１】
これにより、予め定められた範囲内の視聴者による投票総数が多い推薦者が推薦する付加情報ほど、ユーザの注目を集めやすい位置に表示できる。例えば、予め定められた範囲をユーザと嗜好の類似する視聴者の場合、当該ユーザの嗜好に合う付加情報ほど、当該ユーザの注目を集めやすい位置に表示できる。
【００４２】
また、例えば、ユーザの指示に応じて、前記複数の表示要素及び前記付加情報のうち、前記表示部に表示させる前記メインコンテンツに対応する表示要素又は付加情報を選択する選択部を備えてもよい。
【００４３】
これにより、ユーザの指示に応じて、表示部に表示させるメインコンテンツを切り替えることができる。
【００４４】
なお、これらの包括的または具体的な態様は、方法、集積回路、コンピュータプログラムまたはコンピュータ読み取り可能なＣＤ−ＲＯＭなどの記録媒体で実現されてもよく、方法、集積回路、コンピュータプログラムまたは記録媒体の任意な組み合わせで実現されてもよい。
【００４５】
以下、実施の形態について、図面を参照しながら具体的に説明する。
【００４６】
なお、以下で説明する実施の形態は、いずれも包括的または具体的な例を示すものである。以下の実施の形態で示される数値、形状、構成要素、構成要素の配置位置、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４７】
また、以下の説明では、同一の構成要素には同一の符号を付してある。それらの名称および機能も同じである。したがって、それらについての詳細な説明を省略する場合がある。
【００４８】
（実施の形態１）
図１は、本発明の実施の形態１における表示制御装置１０００の機能構成を示すブロック図である。表示制御装置１０００は、ユーザが操作する、図示しないリモコンにより制御される。
【００４９】
表示制御装置１０００は、少なくとも１台の電気機器３０１（外部機器）と通信する。具体的には、図１に示すように、表示制御装置１０００は、ネットワークにより、一台または複数台の電気機器３０１と接続される。当該ネットワークは、ＬＡＮケーブル等を用いた有線ネットワーク、または、無線ＬＡＮを用いた無線ネットワークである。
【００５０】
電気機器３０１は、例えば、洗濯機、冷蔵庫、エアコン、空気清浄機、電子レンジ、ＢＤレコーダー等のネットワーク家電であり、ネットワークを介して表示制御装置１０００に付加情報を通知する。
【００５１】
図１に示すように、表示制御装置１０００は、重要度算出部１０１と、関連度算出部１０２と、付加情報挿入位置決定部１０３と、表示部１０４とを備える。具体的には、この表示制御装置１０００は、表示部１０４に表示させるメインコンテンツと、列（鎖、又は、並びとも言う）を構成する、該メインコンテンツを選択するための複数の表示要素とを利用した処理を行う表示制御装置であって、ユーザに報知するための情報である付加情報を取得し、取得した付加情報の重要度を算出する重要度算出部１０１と、付加情報と前記メインコンテンツとの関連度を算出する関連度算出部１０２と、算出された前記重要度および前記関連度に基づいて、前記複数の表示要素に対して前記付加情報を挿入する位置を決定する付加情報挿入位置決定部１０３とを備え、前記付加情報挿入位置決定部１０３は、前記重要度および前記関連度が高い付加情報ほど、ユーザの注目を集めやすい位置に決定する。なお、付加情報挿入位置決定部１０３は、本発明における位置決定部の一例である。
【００５２】
この表示制御装置１０００は、例えば、放送コンテンツ、ＶＯＤ（Ｖｉｄｅｏ  Ｏｎ  Ｄｅｍａｎｄ）コンテンツ、Ｗｅｂ動画コンテンツといった動画コンテンツ（以下、コンテンツと記載する場合もある）を受信する。
【００５３】
重要度算出部１０１は、詳細は後述するが、付加情報を受信し、受信した付加情報の重要度を算出する。付加情報とは、ユーザに報知するための情報である。付加情報は、表示部１０４が表示する。付加情報は、複数のカテゴリのいずれかに属する。当該複数のカテゴリは、例えば、広告、機器通知、電力量等といった、情報のカテゴリである。
【００５４】
広告とは、表示制御装置１０００が受信するコンテンツの配信元からの通知である。カテゴリが広告である付加情報は、例えば、新製品に関する情報である。
【００５５】
機器通知とは、表示制御装置１０００と通信する、電気機器３０１からの通知である。カテゴリが機器通知である付加情報は、例えば、「洗濯乾燥が完了しました」というメッセージである。
【００５６】
電力量とは、例えば、電気機器３０１が消費する電力量である。カテゴリが電力量である付加情報は、電気機器３０１が消費する電力量を示す。電気機器３０１には、図示しない電源から電力が供給される。
【００５７】
表示制御装置１０００は、電気機器３０１から、カテゴリが機器通知である付加情報、および、カテゴリが電力量である付加情報を受信する。
【００５８】
関連度算出部１０２は、詳細は後述するが、前記付加情報とメインコンテンツとの関連度を算出する。
【００５９】
付加情報挿入位置決定部１０３は、算出された前記重要度および前記関連度に基づいて、前記複数の表示要素に対して前記付加情報を挿入する位置を決定する。表示要素とは、後述のサムネイル画像である。
【００６０】
表示部１０４は、例えばＬＣＤ（Ｌｉｑｕｉｄ  Ｃｒｙｓｔａｌ  Ｄｉｓｐｌａｙ）であり、映像を表示する。表示部１０４は、映像を表示する画面を有する。以下においては、表示部１０４の画面を、単に、画面ともいう。
【００６１】
表示部１０４の画面は、メイン領域と、サブ領域とを有する。サブ領域には、付加情報が挿入された複数の表示要素が表示され、メイン領域には、サブ領域に表示されている複数の表示要素及び付加情報のうち、ユーザにより選択された表示要素又は付加情報が表示される。つまり、ユーザの選択に応じて、サブ領域に表示されている複数の表示要素及び付加情報のいずれかが、メイン領域に表示される。
【００６２】
なお、上述のメインコンテンツとは、サブ領域に表示されている複数の表示要素及び付加情報のうち、ユーザにより選択された一の表示要素又は付加情報に対応してメイン領域に表示されるコンテンツである。
【００６３】
なお、表示部１０４は、ＬＣＤに限定されず、ＰＤＰ（Ｐｌａｓｍａ  Ｄｉｓｐｌａｙ  Ｐａｎｅｌ）や有機ＥＬディスプレイ（ＯＬＥＤ：Ｏｒｇａｎｉｃ  Ｌｉｇｈｔ  Ｅｍｉｔｔｉｎｇ  Ｄｉｓｐｌａｙ）であってもよい。また、表示部１０４は、プロジェクターによって壁などの面に投影する構成により実現されてもよい。
【００６４】
次に、表示制御装置１０００が行う処理（以下、表示制御処理ともいう）について説明する。
【００６５】
図２は、表示制御処理の流れを示すフローチャートである。ここで、表示部１０４は、メインコンテンツを表示しているとする。
【００６６】
まず、重要度算出部１０１が、詳細は後述するが、付加情報の重要度を算出する（Ｓ１０１）。次に、関連度算出部１０２が、前記付加情報と、表示部１０４が表示しているメインコンテンツとの関連度を算出する（Ｓ１０２）。そして、付加情報挿入位置決定部１０３が、前記重要度および前記関連度に基づき、当該付加情報の挿入優先度を算出（決定）する（Ｓ１０３）。ステップＳ１０１〜Ｓ１０３の処理は、複数の付加情報の各々に対し行われる。
【００６７】
具体的には、付加情報を算出する処理（Ｓ１０１）において、重要度算出部１０１は、電気機器３０１及びコンテンツの配信元から送信された各付加情報を受信し、受信した各付加情報の重要度を算出する。
【００６８】
ここで、重要度算出部１０１は、例えば、カテゴリが広告の付加情報の場合、当該付加情報に対応付けられた広告料が高いほど、重要度が大きくなるように、当該付加情報の重要度を算出する。また、例えば、カテゴリが機器通知の付加情報の場合、当該付加情報によって示される、現在の時刻から通知デッドラインまでの時間が短いほど、重要度が大きくなるように、当該付加情報の重要度を算出する。
【００６９】
次に、関連度を算出する処理（Ｓ１０２）において、関連度算出部１０２は、重要度算出部１０１が受信した付加情報と、メインコンテンツとの関連度を算出する。
【００７０】
ここで、関連度算出部１０２は、例えば、カテゴリが広告の付加情報の場合、当該付加情報とメインコンテンツとの関連度が大きいほど、関連度が大きくなるように、当該付加情報の関連度を算出する。具体的には、メインコンテンツがドラマの場合、ドラマに登場した商品、俳優及び女優が出演している広告等の付加情報の関連度が大きくなるように算出する。
【００７１】
関連度とは、例えば、メインコンテンツのメタデータと、カテゴリが広告である付加情報のメタデータとの類似度、及び、メインコンテンツと付加情報とのテキストマッチングのマッチング度合いに相当する。
【００７２】
続いて、付加情報挿入位置決定部１０３は、付加情報の挿入優先度に基づき、付加情報の挿入位置を決定する（Ｓ１０４）。
【００７３】
そして、付加情報挿入位置決定部１０３は、決定された挿入位置に、当該付加情報を挿入するよう表示部１０４を制御する。
【００７４】
具体的には、前記表示部１０４は、算出された前記挿入優先度が高い（大きい）付加情報程、当該付加情報を、ユーザの注目を集めやすい位置に表示する。具体的には、前記表示部１０４は、算出された前記挿入優先度が高い（大きい）付加情報程、付加情報を表示するための領域内であって、かつ、前記表示部１０４の画面中央に近い位置に該付加情報を表示する。
【００７５】
以下に、上記の表示制御処理に含まれる各処理について、図面を用いてさらに詳細に説明する。
【００７６】
まず、表示部１０４の表示画面について説明する。
【００７７】
図３Ａは、本発明の実施の形態１における情報提示の例を説明する図である。
【００７８】
図３Ａでは、表示部１０４が、メインコンテンツｃＡと、複数のサムネイル画像とを表示している状態を示す。複数のサムネイル画像は、表示部１０４の画面の横方向に、直線状に並べられることにより、列を構成する。図３Ａにおいて、複数のサムネイル画像が構成する列の中央には、矢印１１が表示される。
【００７９】
なお、複数のサムネイル画像において、ステップＳ１０４の処理により決定される、隣り合う２つのサムネイル画像の間（挿入位置）に、付加情報が挿入される。すなわち、列を構成する複数のサムネイル画像における挿入位置は、付加情報が表示される領域である。
【００８０】
以下においては、付加情報を表示するための領域であるサブ領域を、付加情報表示領域ともいう。付加情報表示領域は、表示部１０４の画面の少なくとも一部の領域である。例えば、付加情報表示領域は、列を構成する複数のサムネイル画像を含む、列状の領域である。なお、付加情報表示領域は、上記領域に限定されず、他の形状の領域であってもよい。
【００８１】
なお、付加情報表示領域内において、表示部１０４の画面中央に近い位置の方が、ユーザの注目を集めやすい。そのため、付加情報表示領域内において、画面中央に最も近い位置の重みを最大とし、画面中央から遠くなるほど、その位置の重みは小さいものとする。
【００８２】
サムネイル画像１０ａは、動画コンテンツのサムネイル画像である。サムネイル画像１０ｂは、カテゴリが広告である付加情報を示すサムネイル画像である。サムネイル画像１０ｃは、カテゴリが機器通知である付加情報を示すサムネイル画像である。
【００８３】
当該複数のサムネイル画像の各々は、ユーザによるリモコンを利用した、切り替え操作により、位置が移動する。矢印１１の位置に移動したサムネイル画像に対応する動画コンテンツは、メインコンテンツｃＡのように、画面をほぼ占有する、大きなサイズで表示される。また、矢印１１の位置に移動したサムネイル画像は、矢印１１と重なる丸状の画像に変化する。なお、矢印１１の位置に移動したサムネイル画像は、表示されなくてもよい。
【００８４】
なお、複数のサムネイル画像は、図３Ｂに示すように、円弧状に並べられてもよい。
【００８５】
また、図３Ａの直線状に並べられた複数のサムネイル画像及び付加情報と、図３Ｂの円弧状に並べられた複数のサムネイル画像及び複数の付加情報とは、それぞれ、表示制御装置１０００が受信した複数のコンテンツに対応する複数のサムネイル画像及び複数の付加情報の一部であってもよい。この場合、ユーザによる切り替え操作により、新たなサムネイル画像及び付加情報が付加情報表示領域に表示されてもよい。
【００８６】
次に、ユーザの切り替え操作により表示が切り替えられる際の、表示部１０４の表示画面について説明する。すなわち、メイン領域に表示される画像と付加情報表示領域に表示されるサムネイル画像及び付加情報とについて説明する。
【００８７】
図４は、各サムネイル画像の移動を説明するための図である。
【００８８】
図４の（ａ）は、矢印１１の位置に移動したサムネイル画像に対応する動画コンテンツが、メインコンテンツｃＡとして表示されている状態を示す。
【００８９】
ここで、例えば、ユーザが、リモコンを利用して、メインコンテンツを切り替えるための切り替え操作を行ったとする。当該切り替え操作は、例えば、各サムネイル画像を左方向に１つ分移動させる操作である。
【００９０】
この場合、表示制御装置１０００は、各サムネイル画像を左方向に１つ分移動させるよう、表示部１０４を制御する。
【００９１】
これにより、図４の（ｂ）のように、各サムネイル画像は左方向に１つ分移動する。この場合、矢印１１の位置に移動したサムネイル画像に対応する動画コンテンツが、メインコンテンツｃＡの代わりに、メインコンテンツｃＢとして表示される。すなわち、メインコンテンツが切り替わる。つまり、複数のサムネイル画像は、該メインコンテンツを選択するための画像でもある。
【００９２】
さらに、図４の（ｂ）の状態で、ユーザが、リモコンを利用して、各サムネイル画像を左方向に１つ分移動させる切り替え操作を行ったとする。この場合、表示制御装置１０００は、前述と同様な処理を行う。
【００９３】
これにより、図４の（ｃ）のように、各サムネイル画像は左方向に１つ分移動する。この場合、矢印１１の位置に移動したサムネイル画像１０ｂは、動画コンテンツと同様、メインコンテンツａｄＸとして、画面をほぼ占有する、大きなサイズで表示されてもよい。
【００９４】
また、この場合、サムネイル画像１０ｂが示す付加情報は、切り替え操作により選択されたこととなる。
【００９５】
メインコンテンツａｄＸは、例えば、広告（ＣＭ）の映像である。なお、メインコンテンツａｄＸは、映像に限定されず、広告の情報を示す画像であってもよい。
【００９６】
このように、表示制御装置１０００は、ユーザの指示に応じてメインコンテンツを切り替えることができる。つまり、ユーザは、複数の動画コンテンツに対応する複数の表示要素のそれぞれと各付加情報とを、放送種別、放送コンテンツ、ウェブコンテンツ及び各電気機器３０１からの付加情報等を意識することなく、メインコンテンツを切り替えることができる。言い換えると、ユーザが、複数の動画コンテンツと各付加情報とをシームレスに選択（ザッピング）することができる。すなわち、表示制御装置１０００は、複数の動画コンテンツと各付加情報とのユーザによる選択動作に、連続性を持たせることができる。
【００９７】
また、表示部１０４は、複数のサムネイル画像（コンテンツ）から構成される列を表示することで、ユーザは、現在視聴中のメインコンテンツの前後にいかなるコンテンツが並んでいるかを知ることができる。そのため、１つずつの順次送りによるザッピングだけでなく、所望のコンテンツをダイレクトに選択することも可能となる。
【００９８】
次に、付加情報の挿入位置を決定する処理を説明する。ここでは、異なる２つのカテゴリの付加情報を複数のサムネイル画像に挿入する場合における処理について説明する。
【００９９】
図５は、図２に示した表示制御処理の挿入位置を決定する処理（Ｓ１０４）における、付加情報挿入位置決定部１０３による処理を説明するための図である。
【０１００】
図５において、ｃＬＲ１は、例えば、図３Ａに示すメインコンテンツｃＡのような表示態様で表示されるメインコンテンツである。当該メインコンテンツは、例えば、放送コンテンツ、ＶＯＤコンテンツ、Ｗｅｂ動画コンテンツ等の動画コンテンツである。ｃＬ４、ｃＬ３、ｃＬ２、ｃＬ１、ｃＲ１、ｃＲ２、ｃＲ３、ｃＲ４は、例えば、図３Ａのような表示態様で表示される複数のサムネイル画像である。
【０１０１】
言い換えると、ｃＬＲ１に対応するコンテンツはメイン領域にメインコンテンツとして表示され、ｃＬＲ１以外に対応する各コンテンツは付加情報表示領域にサムネイル画像として表示される。
【０１０２】
ａ１〜ａ４と、ｎ１〜ｎ４とは、異なる２つのカテゴリの付加情報を示し、具体的には、ａ１、ａ２、ａ３、ａ４が、カテゴリが広告である付加情報を示し、ｎ１、ｎ２、ｎ３、ｎ４が、カテゴリが機器通知である付加情報を示す。
【０１０３】
また、Ｌ５、Ｌ４、Ｌ３、Ｌ２、Ｌ１、Ｒ１、Ｒ２、Ｒ３、Ｒ４、Ｒ５は、付加情報の各挿入位置に対応する位置係数であり、各付加情報は、当該付加情報の挿入優先度と最も近い位置係数の挿入位置へ挿入される。例えば、位置係数Ｌ２は、サムネイル画像ｃＬ２と、サムネイル画像ｃＬ１との間に、付加情報を挿入するための位置係数である。
【０１０４】
機器通知ｎ１は、例えば、「家庭内の電気使用量が目標値を超えそうです。」というメッセージである。機器通知ｎ２は、例えば、「エコシティ内の電気使用量が目標値を超えそうです。節電を心がけましょう。」というメッセージである。機器通知ｎ３は、例えば、「２階の寝室に誰もいないのに電気がついたままです。」というメッセージである。機器通知ｎ４は、例えば、「洗濯乾燥が完了しました」というメッセージである。
【０１０５】
次に、図５に示されている、（i）カテゴリが広告である付加情報、及び、（ii）カテゴリが機器通知である付加情報の挿入位置を決定する処理について、順に説明する。
【０１０６】
（i）カテゴリが広告の場合
重要度算出部１０１は、広告の出稿料が高いほど重要度が大きく（高く）なるように、付加情報の重要度を算出する。
【０１０７】
以下においては、カテゴリが広告である付加情報を、広告ａ＊（＊＝１、２、３、４、５、…）ともいう。ここで、広告ａ＊に対応する広告の出稿料をｍａ＊とする。この場合、カテゴリが広告である付加情報の重要度ｓｖａ＊は、以下の式１で表現される。
【０１０８】
【数１】
0005885672.tif 000002
【０１０９】
式１において、Ｓは、所定値である。
【０１１０】
次に、広告ａ＊の挿入優先度αａ＊の算出方法について説明する。
【０１１１】
ここで、広告ａ＊とメインコンテンツとの関連度をｕｖａ＊とする。この場合、挿入優先度αａ＊は、付加情報挿入位置決定部１０３により、以下の式２で算出される（Ｓ１０３）。
【０１１２】
【数２】
0005885672.tif 000003
【０１１３】
式２において、ｋ１、ｋ２は、所定の係数である。
【０１１４】
関連度ｕｖａ＊は、関連度算出部１０２により算出される（Ｓ１０２）。関連度ｕｖａ＊は付加情報とメインコンテンツとの間の類似度を示し、関連度算出部１０２は、上述したように、例えば、メインコンテンツのメタデータと、カテゴリが広告である付加情報のメタデータとの類似度を、関連度ｕｖａ＊として算出する。
【０１１５】
なお、関連度ｕｖａ＊は、メインコンテンツのカテゴリ毎にあらかじめ設定された値であってもよい。
【０１１６】
図５に示すように、位置係数Ｌ５、Ｌ４、Ｌ３、Ｌ２、Ｌ１、Ｒ１、Ｒ２、Ｒ３、Ｒ４、Ｒ５には、あらかじめ重みづけられた値が予め設定される。Ｌ５、Ｌ４、Ｌ３、Ｌ２、Ｌ１、Ｒ１、Ｒ２、Ｒ３、Ｒ４、Ｒ５には、付加情報を表示するための領域内において、表示部１０４の画面中央に近い位置ほど、重み（値）が大きくなるように設定される。（図３Ａ参照）。これらの重みは、例えば、Ｌ５＝０．７５、Ｌ４＝０．８、Ｌ３＝０．８５、Ｌ２＝０．９、Ｌ１＝０．９５、Ｒ１＝０．９５、Ｒ２＝０．９、Ｒ３＝０．８５、Ｒ４＝０．８、Ｒ５＝０．７５と設定される。
【０１１７】
そして、付加情報挿入位置決定部１０３は、各位置係数の重み（値）に最も近い挿入優先度の値を持つ付加情報を、当該位置係数に対応する挿入位置に挿入するよう表示部１０４を制御する。
【０１１８】
図５の例では、０．８５を示す位置係数Ｒ３に対応する挿入位置には、付加情報挿入位置決定部１０３により、挿入優先度０．８７の付加情報（広告ａ３）が挿入される。
【０１１９】
（ii）カテゴリが機器通知の場合
重要度算出部１０１は、現在の時刻から前記付加情報の通知デッドラインまでの時間（残り時間）が短いほど付加情報の重要度が大きく（高く）なるように、前記付加情報の重要度を算出する。通知デッドラインとは、付加情報に対応して予め定められた通知期限である。
【０１２０】
以下においては、カテゴリが機器通知である付加情報を、機器通知ｎ＊（＊＝１、２、３、４、５、…）ともいう。
【０１２１】
ここで、現在の時刻から通知デッドラインまでの残り時間をｔｄｎ＊とする。この場合、カテゴリが機器通知である付加情報の重要度ｓｖｎ＊は、以下の式３で表現される。
【０１２２】
【数３】
0005885672.tif 000004
【０１２３】
式３において、ｔは所定値である。
【０１２４】
次に、機器通知ｎ＊の挿入優先度αｎ＊の算出方法について説明する。
【０１２５】
ここで、機器通知ｎ＊とメインコンテンツとの関連度をｕｖｎ＊とする。この場合、挿入優先度αｎ＊は、付加情報挿入位置決定部１０３により、以下の式４で算出される（Ｓ１０３）。
【０１２６】
【数４】
0005885672.tif 000005
【０１２７】
式４において、ｋ１、ｋ２は、所定の係数である。
【０１２８】
関連度ｕｖｎ＊は、関連度算出部１０２により算出される（Ｓ１０２）。関連度算出部１０２は、例えば、メインコンテンツのメタデータと、カテゴリが機器通知である付加情報のメタデータとの類似度を、関連度ｕｖｎ＊として算出する。例えば、電子レンジに対応する付加情報の場合、メインコンテンツが料理番組のときに、当該付加情報の関連度を高くしてもよい。
【０１２９】
なお、関連度ｕｖｎ＊は、メインコンテンツのカテゴリ毎にあらかじめ設定された値であってもよいし、カテゴリによらず、あらかじめ定められた値であってもよい。
【０１３０】
図５の例では、前述の付加情報（広告ａ３）と同様、付加情報挿入位置決定部１０３により、重み０．９を示す位置係数Ｒ２に対応する挿入位置には、挿入優先度０．９２の付加情報（機器通知ｎ１）が挿入される。
【０１３１】
以上、（i）（ii）に示すように、付加情報挿入位置決定部１０３は、重要度ｓｖａ＊及び関連度ｕｖａ＊が高い広告ａ＊ほど、当該広告ａ＊の挿入優先度αａ＊を高く算出し、重要度ｓｖｎ＊及び関連度ｕｖｎ＊が高い機器通知ｎ＊ほど、当該機器通知ｎ＊の挿入優先度αｎ＊を高く算出し、算出した挿入優先度αａ＊及びαｎ＊が高い広告ａ＊及び機器通知ｎ＊ほど、ユーザの注目を集めやすい位置に決定する。つまり、付加情報挿入位置決定部１０３は、重要度及び関連度が高い付加情報ほど、当該付加情報の挿入優先度を高く算出し、算出した挿入優先度が高い付加情報程、ユーザの注目を集めやすい位置に決定する。具体的には、付加情報挿入位置決定部１０３は、算出された挿入優先度が高い付加情報程、表示部１０４の付加情報表示領域であって、かつ、表示部１０４の画面中央により近い位置に決定する。これにより、ユーザは挿入優先度の高い付加情報に容易に気付くことができる。つまり、挿入優先度が高い付加情報程、ユーザの注目を集めやすい位置として、付加情報表示領域かつ画面中央により近い位置に決定する。
【０１３２】
なお、図５の例では、付加情報の挿入位置に対応する位置係数Ｌ５、Ｌ４、Ｌ３、Ｌ２、Ｌ１、Ｒ１、Ｒ２、Ｒ３、Ｒ４、Ｒ５に対して、左右対称に重み（値）がつけられているがこれに限定されない。例えば、付加情報（広告ａ３）は、０．８５を示す位置係数Ｌ３、Ｒ３のいずれに対応する位置に挿入されてもよい。また、付加情報（機器通知ｎ１）は、０．９を示す位置係数Ｌ２、Ｒ２のいずれに対応する位置に挿入されてもよい。
【０１３３】
また、位置係数Ｌ５、Ｌ４、Ｌ３、Ｌ２、Ｌ１、Ｒ１、Ｒ２、Ｒ３、Ｒ４、Ｒ５には、左右非対称に重み（値）をつけてもよい。例えば、コンテンツ（サムネイル画像）を右方向に１つずつずらす操作よりも、当該コンテンツを左方向に１つずつずらす操作を行う頻度の方が高いユーザがいるとする。当該ユーザは、表示部１０４の画面中央から左側の挿入位置（Ｌ５、Ｌ４、Ｌ３、Ｌ２、Ｌ１に対応する位置）の方が、Ｒ１、Ｒ２、Ｒ３、Ｒ４、Ｒ５に対応する挿入位置よりも注目する可能性が高いと推定できる。そのため、Ｒ５よりもＬ５の方の、Ｒ４よりもＬ４の方の、Ｒ３よりもＬ３の方の、Ｒ２よりもＬ２の方の、Ｒ１よりもＬ１の方の重み（値）を大きく（高く）するとよい。
【０１３４】
逆に、コンテンツ（サムネイル画像）を左方向に１つずつずらす操作よりも、当該コンテンツを右方向に１つずつずらす操作を行う頻度の方が高いユーザがいるとする。当該ユーザは、表示部１０４の画面中央から右側の挿入位置（Ｒ５、Ｒ４、Ｒ３、Ｒ２、Ｒ１に対応する位置）の方が、Ｌ１、Ｌ２、Ｌ３、Ｌ４、Ｌ５に対応する挿入位置よりも注目する可能性が高いと推定できる。そのため、Ｌ５よりもＲ５の方の、Ｌ４よりもＲ４の方の、Ｌ３よりもＲ３の方の、Ｌ２よりもＲ２の方の、Ｌ１よりもＲ１の方の重み（値）を大きく（高く）するとよい。
【０１３５】
なお、付加情報の重要度の算出方法は上記に限定されない。ここで、付加情報のカテゴリが、前述した電力量であってもよい。
【０１３６】
これにより、ユーザが電気機器３０１の電力量に容易に気付くことができる。その結果、例えば、ユーザが付加情報により示される電力量を確認して、確認結果に応じて、電気機器の消費電力を削減するような指示をすることが可能となり、節電につなげることができる。
【０１３７】
付加情報のカテゴリが電力量である場合、前記重要度算出部１０１は、前記電気機器３０１が消費する電力量が、前記電気機器３０１に供給される電力量に近づくにつれ重要度が大きくなるように、前記付加情報の重要度を算出してもよい。
【０１３８】
これにより、消費する電力量が供給される電力量に近い電気機器３０１の付加情報ほど、ユーザの注目を集めやすい位置に表示できる。その結果、電気機器３０１が消費する電力が供給される電力と同等になる前に、ユーザが当該電気機器３０１の付加情報に容易に気付くことができるので、ユーザにより消費電力を下げるような指示を与えることが可能となり、消費電力が供給電力と同等となったときに生じる不具合の発生を防止できる。
【０１３９】
以上説明したように、本実施の形態における表示制御装置１０００は、表示部１０４に表示させるメインコンテンツと、列を構成する、該メインコンテンツを選択するための複数の表示要素とを利用した処理を行う表示制御装置であって、ユーザに報知するための情報である付加情報を取得し、取得した付加情報の重要度を算出する重要度算出部１０１と、付加情報とメインコンテンツとの関連度を算出する関連度算出部１０２と、算出された重要度および関連度に基づいて、複数の表示要素に対して付加情報を挿入する位置を決定する付加情報挿入位置決定部１０３とを備え、付加情報挿入位置決定部１０３は、重要度及び関連度が高い付加情報ほど、ユーザの注目を集めやすい位置に決定する。
【０１４０】
すなわち、付加情報挿入位置決定部１０３は、付加情報の重要度とメインコンテンツとの関連度とに基づいて、複数の表示要素に対して付加情報を挿入する位置を決定する。これにより、付加情報の重要度とメインコンテンツとの関連度とを考慮した、当該付加情報の通知を行うことができる。
【０１４１】
また、ユーザが、多種多様なコンテンツの選択や操作、付加情報（通知情報）の確認を、各々の種別を特に意識することなくシームレスに行うことができ、何気なく特定の対象にアクセス可能となる表示制御装置を提供することができる。
【０１４２】
また、ユーザは、放送コンテンツやウェブ上の動画コンテンツ等のＡＶコンテンツに加えて、電気機器からの通知、各種広告等を包括的にザッピングすることができる。
【０１４３】
また、本実施の形態に係る表示制御装置１０００は、重要度の高い付加情報ほどユーザの注目を集めやすい位置に表示できるので、ユーザが重要な付加情報を見落とす可能性が低減する。
【０１４４】
また、付加情報のカテゴリは、例えば広告である。これにより、例えば、メインコンテンツがドラマである場合に、付加情報として、ドラマの出演者が出演している広告やドラマに登場する商品の広告を表示することができるので、ユーザへの訴求効果を高められる。
【０１４５】
また、付加情報のカテゴリが広告の場合、重要度算出部１０１は、広告の出稿料が高いほど重要度が大きくなるように、付加情報の重要度を算出する。これにより、出稿料が高い広告ほど、ユーザの注目を集めやすい位置に表示できる。
【０１４６】
また、表示制御装置１０００は、電気機器３０１と通信し、付加情報のカテゴリは、例えば電気機器３０１からの通知である。これにより、例えば、メインコンテンツがドラマである場合にも、電気機器３０１からの通知を表示することができる。その結果、例えば、電気機器３０１が電子レンジであった場合に、ユーザはドラマの視聴中であっても、「加熱完了」といった表示に容易に気付くことができ、電子レンジの庫内から食品を取り出し忘れることがなくなる。
【０１４７】
また、付加情報のカテゴリが電気機器３０１からの通知である場合、重要度算出部１０１は、現在の時刻から付加情報の通知デッドラインまでの時間が短いほど重要度が大きくなるように、付加情報の重要度を算出する。
【０１４８】
これにより、通知デッドラインの短い付加情報ほど、ユーザの注目を集めやすい位置に表示できる。通知デッドラインとは、例えばユーザの操作を待機可能な時間であり、短いほどユーザの素早い対応が要求される。つまり、ユーザの素早い対応が要求される付加情報ほどユーザの注目を集めやすい位置に表示できるので、ユーザによる付加情報の見落としを低減することができる。
【０１４９】
（実施の形態１の変形例）
次に、実施の形態１の変形例に係る表示制御装置について説明する。本変形例に係る表示制御装置は、実施の形態１に係る表示制御装置１０００と比較して、ほぼ同じであるが、さらに、メインコンテンツを切り替えるための切り替え操作による、付加情報の過去の選択頻度に基づき、複数の表示要素に対する、付加情報の挿入の許容度である挿入許容度を算出する挿入許容度算出部を備え、位置決定部は、さらに、算出された挿入許容度に基づいて、複数の表示要素に対して付加情報を挿入する位置を決定する点が異なる。以下、実施の形態１と異なる点を中心に具体的に説明する。
【０１５０】
図６は、本発明の実施の形態１の変形例における表示制御装置１０００Ａの機能構成を示すブロック図である。
【０１５１】
図６に示すように、本変形例に係る表示制御装置１０００Ａは、図１の表示制御装置１０００と比較して、さらに、挿入許容度算出部１０５を備える点が異なる。表示制御装置１０００Ａのそれ以外の構成および機能は、表示制御装置１０００と同様なので詳細な説明は繰り返さない。
【０１５２】
挿入許容度算出部１０５は、詳細は後述するが、挿入許容度を算出する。挿入許容度とは、列を構成する前記複数のサムネイル画像（表示要素）に対する、前記付加情報の挿入の許容度である。当該許容度は、ユーザが許容する度合いである。
【０１５３】
挿入許容度算出部１０５は、前述した、メインコンテンツを切り替えるための切り替え操作により選択された各付加情報の過去の選択頻度を記憶している。当該選択頻度は回数である。なお、選択頻度は、付加情報が選択されている時間であってもよい。
【０１５４】
挿入許容度算出部１０５は、ユーザによる、前述の切り替え操作が行われる毎に、当該切り替え操作により選択された各付加情報の選択頻度を記憶する。
【０１５５】
なお、各付加情報の選択頻度の記憶は、図示しない他の構成要素が行ってもよい。この場合、挿入許容度算出部１０５は、各付加情報の過去の選択頻度を、当該他の構成要素から取得する。
【０１５６】
次に、表示制御装置１０００Ａが行う処理（以下、表示制御処理Ａともいう）について説明する。
【０１５７】
図７は、表示制御処理Ａのフローチャートである。図７において、図２のステップ番号と同じステップ番号の処理は、実施の形態１で説明した処理と同様な処理が行われるので詳細な説明は繰り返さない。
【０１５８】
まず、実施の形態１と同様に、ステップＳ１０１〜Ｓ１０３の処理が行われる。ステップＳ１０１〜Ｓ１０３の処理は、複数の付加情報の各々に対し行われる。これにより、各付加情報の挿入優先度が算出される。
【０１５９】
続いて、挿入許容度算出部１０５は、処理対象の付加情報の過去の選択頻度に基づき、前述の挿入許容度を算出する。具体的には、挿入許容度算出部１０５は、前述した、処理対象の付加情報の過去の選択頻度が大きい程、値の大きい挿入許容度を算出する。（Ｓ１０３Ａ）。挿入許容度は、例えば、０〜１の範囲の値である。
【０１６０】
続いて、付加情報挿入位置決定部１０３は、算出された前記挿入許容度および前記付加情報の挿入優先度に基づいて、前記複数の表示要素（サムネイル画像）に対して前記付加情報を挿入する位置を決定する（Ｓ１０４Ａ）。挿入優先度は、重要度を算出する処理（Ｓ１０１）及び関連度を算出する処理（Ｓ１０２）により算出された重要度および関連度により算出される。すなわち、前記付加情報挿入位置決定部１０３は、算出された前記挿入許容度、前記重要度および前記関連度に基づいて、前記複数の表示要素に対して前記付加情報を挿入する位置を決定する。
【０１６１】
なお、挿入許容度に基づき付加情報の挿入位置を決定する処理（Ｓ１０４Ａ）における処理は、挿入許容度が算出された各付加情報に対し行われる。
【０１６２】
そして、付加情報挿入位置決定部１０３は、実施の形態１と同様、決定された挿入位置に、当該付加情報を挿入するよう表示部１０４を制御する。
【０１６３】
次に、図５の例と同様に、異なる２種類の付加情報を挿入する場合における、付加情報の挿入位置を決定する処理を説明する。
【０１６４】
図８は、表示制御処理Ａの付加情報の挿入位置を決定する処理（Ｓ１０４Ａ）を説明するための図である。
【０１６５】
図８において、図５と同じ符号および同じ文字列の部分の説明は省略する。
【０１６６】
また、図８において、付加情報の重要度ｓｖａ＊、広告ａ＊の挿入優先度αａ＊、関連度ｕｖａ＊、付加情報の重要度ｓｖｎ＊、機器通知ｎ＊の挿入優先度αｎ＊および関連度ｕｖｎ＊の算出方法は、図５で説明したのと同様であるので説明は省略する。
【０１６７】
ここで、挿入許容度を算出する処理（Ｓ１０３Ａ）により、挿入許容度（ｐ）が、４／１０と算出されたとする。この場合、付加情報挿入位置決定部１０３は、位置係数Ｌ１〜Ｌ５，Ｒ１〜Ｒ５に対応する１０個の挿入位置のうち、４個の挿入位置を決定する（Ｓ１０４Ａ）。そして、付加情報挿入位置決定部１０３は、当該４個の挿入位置に付加情報を挿入する。
【０１６８】
具体的には、図８に示すように、付加情報挿入位置決定部１０３が、広告ａ１、ａ２、ａ３、ａ４、…および機器通知ｎ１、ｎ２、ｎ３、ｎ４、…のうち、挿入優先度が高い順に、ｎ１、ａ３、ａ２、ｎ２の４つを選択する。そして、付加情報挿入位置決定部１０３は、選択したｎ１、ａ３、ａ２、ｎ２を、挿入位置に挿入する。
【０１６９】
この場合、位置係数Ｌ５、Ｌ４、Ｌ３、Ｌ２、Ｌ１、Ｒ１、Ｒ２、Ｒ３、Ｒ４、Ｒ５には、少なくともＬ５ないしＲ５が、選択されたｎ１、ａ３、ａ２、ｎ２のうち、挿入優先度が最も低いｎ２の挿入優先度０．６５に近い値になるように正規化した値が設定される。すなわち、Ｌ５，Ｒ５は、０．６５に設定され、画面中央に近い挿入位置に対応する位置係数程、重み（値）が大きくなるように設定される。
【０１７０】
そして、付加情報挿入位置決定部１０３は、実施の形態１と同様、各位置係数の重み（値）に最も近い挿入優先度の値を持つ付加情報を、当該位置係数に対応する挿入位置に挿入するよう表示部１０４を制御する。
【０１７１】
以上のように、本変形例に係る表示制御装置１０００Ａは、実施の形態１に係る表示制御装置１０００と比較して、さらに、メインコンテンツを切り替えるための切り替え操作による付加情報の過去の選択頻度に基づき、複数の表示要素に対する付加情報の挿入の許容度である挿入許容度を算出する挿入許容度算出部１０５を備え、付加情報挿入位置決定部１０３は、さらに、算出された挿入許容度に基づいて、複数の表示要素に対して付加情報を挿入する位置を決定する点が異なる。
【０１７２】
これにより、ユーザの過去の選択頻度に基づいて表示要素に挿入される付加情報を多くしたり、少なくしたりするといった、ユーザの好みに合わせることができる。
【０１７３】
（その他の変形例）
以上、一つまたは複数の態様に係る表示制御装置について、実施の形態及びその変形例に基づいて説明したが、本発明は、これらの実施の形態又はその変形例に限定されるものではない。本発明の趣旨を逸脱しない限り、当業者が思いつく各種変形を本実施の形態又はその変形例に施したもの、あるいは異なる実施の形態又はその変形例における構成要素を組み合わせて構築される形態も、一つまたは複数の態様の範囲内に含まれる。
【０１７４】
例えば、図９Ａに示すように、複数のサムネイル画像は、画面の縦方向に直線状に並べてもよい。この場合、付加情報表示領域内で画面中央に最も近い位置の重みを最大とし、画面中央から遠くなるほど、その位置の重みは小さいものとする。
【０１７５】
また、図９Ｂ及び図９Ｃに示すように、複数のサムネイル画像は、渦巻状に並べてもよい。この場合、渦巻の中心に最も近い位置の重みを最大とし、渦巻の中心から遠くなるほど重みは小さいものとする。
【０１７６】
また、複数のサムネイル画像は、前述の図３Ａに示すように、「動画コンテンツ」、「機器通知」、「広告」といった複数のカテゴリの情報を一列に並べてもよい。また、図１０に示すように、複数のサムネイル画像は、カテゴリ毎に峻別できるように、例えばカテゴリ毎に列をずらして表示してもよい。
【０１７７】
また、図４において、矢印１１の位置に移動したサムネイル画像１０ｂ（広告）を、図１１に示すように、動画コンテンツとは異なり、ポップアップ状に動画として再生してもよい。
【０１７８】
また、表示制御装置１０００は、表示部１０４を備えなくてもよい。すなわち、表示制御装置１０００は、重要度算出部１０１と、関連度算出部１０２と、付加情報挿入位置決定部１０３とを備える装置であってもよい。表示制御装置１０００Ａも同様に、表示部１０４を備えなくてもよい。
【０１７９】
また、付加情報は、当該付加情報を推薦する推薦者と対応付けられ、重要度算出部１０１は、取得した付加情報に対応付けられた推薦者の序列が高いほど重要度が大きくなるように、付加情報の重要度を算出してもよい。
【０１８０】
具体的には、重要度算出部１０１は、推薦者及び各推薦者の序列を示す情報が格納された推薦者序列リストを有し、さらに、表示制御装置１０００が受信した付加情報と対応づけられた推薦者を示す情報が格納された推薦者リストを取得する。
【０１８１】
この付加情報と対応づけられた推薦者とは、表示制御装置１０００が受信した付加情報と同じ付加情報を受信した他の表示制御装置を視聴している視聴者のうち、例えば、リモコン等の入力装置により当該付加情報を推薦する操作をした視聴者である。つまり、付加情報に対して視聴者によって推薦する操作がなされた場合、当該視聴者を当該付加情報の推薦者としている。
【０１８２】
重要度算出部１０１は、推薦者序列リストと推薦者リストとを比較することで、受信した付加情報の推薦者が、推薦者序列リストに含まれているか否かを判定し、含まれている場合、当該推薦者の序列が高い程、重要度が高いと判定する。つまり、推薦者の序列が高いほど、付加情報挿入位置決定部１０３により算出される付加情報の挿入優先度が高くなる。
【０１８３】
これにより、推薦者の序列が高い付加情報ほど、ユーザの注目を集めやすい位置に表示できる。具体的には、推薦者の序列が高い付加情報ほど、付加情報を表示するための領域内であって、かつ、表示部１０４の画面中央に近い位置に表示できる。
【０１８４】
なお、推薦者の序列は、上述したように、各付加情報とは独立して、表示制御装置１０００に対応付けられていてもよいし、各付加情報に対応付けられていてもよい。
【０１８５】
また、推薦者の序列は、予め定められた範囲内の視聴者による投票総数が多いほど高くなってもよい。
【０１８６】
これにより、予め定められた範囲内の視聴者による投票総数が多い推薦者が推薦する付加情報ほど、ユーザの注目を集めやすい位置に表示できる。例えば、ユーザと嗜好の類似する視聴者を予め定められた範囲とする場合、当該ユーザの嗜好に合う付加情報ほど、注目を集めやすい位置に表示できる。
【０１８７】
なお、推薦者の序列は、予め定められた序列であってもよい。つまり、推薦者の序列は更新されなくてもよい。
【０１８８】
また、表示制御装置１０００は、さらに、図１２に示すような選択部２０１を備えてもよい。この選択部２０１は、ユーザの指示に応じて、複数の表示要素及び付加情報のうち、表示部１０４のメイン領域に表示する表示要素又は付加情報を選択し、選択した表示要素又は付加情報を表示部１０４にメインコンテンツとして表示させる。
【０１８９】
これにより、ユーザの指示に応じて、表示部１０４に表示させるメインコンテンツを切り替えることができる。例えば、選択部２０１がリモコンの十字キーの操作を受け付ける場合、ユーザによる右方向操作子及び左方向操作子の操作入力によってメインコンテンツを切り替える。また、例えば、選択部２０１がリモコンのジョグダイヤルの操作を受け付ける場合、ユーザによるジョグダイヤルの回転操作によってメインコンテンツを切り替える。
【０１９０】
つまり、ユーザは、複数の動画コンテンツに対応する複数の表示要素のそれぞれと各付加情報とを、放送種別、放送コンテンツ、ウェブコンテンツ及び各電気機器３０１からの付加情報等を意識することなくシームレスに選択できる。言い換えると、ユーザが、複数の動画コンテンツと各付加情報とをシームレスに選択（ザッピング）することができる。すなわち、表示制御装置１０００は、複数の動画コンテンツと各付加情報とのユーザによる選択動作に、連続性を持たせることができる。
【０１９１】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の表示制御装置などを実現するソフトウェアは、次のようなプログラムである。
【０１９２】
すなわち、このプログラムは、コンピュータに、表示部１０４に表示させるメインコンテンツと、列を構成する、該メインコンテンツを選択するための複数の表示要素とを利用した処理を行う表示制御方法であって、ユーザに報知するための情報である付加情報を取得し、取得した付加情報の重要度を算出する重要度算出ステップと、前記付加情報と前記メインコンテンツとの関連度を算出する関連度算出ステップと、算出された前記重要度および前記関連度に基づいて、前記複数の表示要素に対して前記付加情報を挿入する位置を決定する位置決定ステップとを含み、前記位置決定ステップでは、前記重要度および前記関連度が高い付加情報ほど、ユーザの注目を集めやすい位置に決定する表示制御方法を実行させる。
【０１９３】
さらに、本発明は、以下のように変形することもできる。
【０１９４】
（１）上記の表示制御装置は、具体的には、マイクロプロセッサ、ＲＯＭ、ＲＡＭ、ハードディスクユニット、ディスプレイユニット、キーボード、マウスなどから構成されるコンピュータシステムであってもよい。前記ＲＯＭ又は前記ハードディスクユニットには、コンピュータプログラムが記憶されている。前記マイクロプロセッサが、前記コンピュータプログラムに従って動作することにより、表示制御装置は、その機能を達成する。
【０１９５】
ここで、コンピュータプログラムは、所定の機能を達成するために、コンピュータに対する指令を示す命令コードが複数個組み合わされて構成されたものである。なお、各装置は、マイクロプロセッサ、ＲＯＭ、ＲＡＭ、ハードディスクユニット、ディスプレイユニット、キーボード、マウスなどの全てを含むコンピュータシステムに限らず、これらの一部から構成されているコンピュータシステムであってもよい。
【０１９６】
（２）上記の表示制御装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。
【０１９７】
例えば、重要度算出部１０１、関連度算出部１０２、付加情報挿入位置決定部１０３は、１個の集積回路で構成されてもよい。
【０１９８】
システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムで実現できる。前記ＲＯＭには、コンピュータプログラムが記憶されている。前記マイクロプロセッサが、前記コンピュータプログラムに従って動作することにより、システムＬＳＩは、その機能を達成する。
【０１９９】
なお、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０２００】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２０１】
（３）上記の表示制御装置を構成する構成要素の一部又は全部は、表示制御装置に脱着可能なＩＣカード又は単体のモジュールから構成されているとしてもよい。前記ＩＣカード又は前記モジュールは、マイクロプロセッサ、ＲＯＭ、ＲＡＭ、などから構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【０２０２】
（４）本発明は、上記に示す表示制御装置が備える特徴的な構成部の動作をステップとする方法であってもよい。また、これらの方法をコンピュータにより実現するコンピュータプログラムであってもよいし、前記コンピュータプログラムからなるデジタル信号であってもよい。
【０２０３】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなど、に記録したもので実現してもよい。また、これらの記録媒体に記録されている前記コンピュータプログラム又は前記デジタル信号で本発明を実現してもよい。
【０２０４】
また、本発明は、前記コンピュータプログラム又は前記デジタル信号を、電気通信回線、無線又は有線通信回線、インターネットを代表とするネットワーク、データ放送等を経由して伝送するものとしてもよい。
【０２０５】
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０２０６】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
【０２０７】
（５）上記実施の形態及び上記変形例をそれぞれ組み合わせるとしてもよい。
【０２０８】
（６）また、上記の表示制御装置は、スマートテレビや、２０インチの４ｋ２ｋ解像度の動画を再生可能なタブレットや、クレードル等に内蔵される。本発明に係る表示制御装置が内蔵されることにより、放送コンテンツやウェブ上の動画コンテンツ等のＡＶコンテンツに加えて、機器ネットワーク群からの通知や操作、各種広告等を、ユーザが包括的にザッピングすることができるスマートテレビ、タブレット及びクレードル等が実現される。
【０２０９】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０２１０】
本発明の一態様に係る表示制御装置は、ユーザが、放送コンテンツやウェブ上の動画コンテンツ等のＡＶコンテンツに加えて、機器ネットワーク群からの通知や操作、各種広告等を包括的にザッピングすることができる環境を提供する装置等として有用である。
【符号の説明】
【０２１１】
１０ａ、１０ｂ、１０ｃ  サムネイル画像
１１  矢印
１０１  重要度算出部
１０２  関連度算出部
１０３  付加情報挿入位置決定部
１０４  表示部
１０５  挿入許容度算出部
２０１  選択部
３０１  電気機器
１０００、１０００Ａ  表示制御装置
【図１】
0005885672.tif 000006
【図２】
0005885672.tif 000007
【図３Ａ】
0005885672.tif 000008
【図３Ｂ】
0005885672.tif 000009
【図４】
0005885672.tif 000010
【図５】
0005885672.tif 000011
【図６】
0005885672.tif 000012
【図７】
0005885672.tif 000013
【図８】
0005885672.tif 000014
【図９Ａ】
0005885672.tif 000015
【図９Ｂ】
0005885672.tif 000016
【図９Ｃ】
0005885672.tif 000017
【図１０】
0005885672.tif 000018
【図１１】
0005885672.tif 000019
【図１２】
0005885672.tif 000020